(57)【特許請求の範囲】
【請求項１】
軸筒先端にペン先を備えた筆記具であって、前記軸筒が、掌に当接することができる後端支持部と、該後端支持部からペン先方向へ異なる距離に複数形成される指先支持部とを外面に有し、前記軸筒が、対向する平面部と該平面部を繋ぐ連接部とからなることを特徴とする筆記具。
【請求項２】
前記指先支持部が、ペン先近傍に設けられる第一指先支持部と、該第一指先支持部の後方に設けられる第二指先支持部とから少なくともなることを特徴とする請求項１記載の筆記具。
【請求項３】
前記指先支持部が、円周方向に形成される１以上の接触部からなることを特徴とする請求項１又は２に記載の筆記具。
【請求項４】
前記第一指先支持部が３個の接触部からなり、１個の接触部が一方の連接部に設けられると共に、２個の接触部が他方の連接部と平面部との継目にそれぞれ設けられることを特徴とする請求項２記載の筆記具。
【請求項５】
前記第二指先支持部が４個の接触部からなり、連接部と平面部との継目にそれぞれ設けられることを特徴とする請求項２記載の筆記具。
【請求項６】
前記第二指先支持部が、後端支持部から軸筒全長の略１／２の位置に形成されることを特徴とする請求項２記載の筆記具。
【請求項７】
前記第二指先支持部の後方に第三指先支持部が形成され、該第三指先支持部が、連接部と平面部との継目にそれぞれ設けられる４個の接触部からなることを特徴とする請求項２記載の筆記具。
【請求項８】
前記接触部が窪み部であることを特徴とする請求項３、４、５、７のいずれかに記載の筆記具。
【発明の詳細な説明】
【技術分野】
【０００１】
本発明は、筆記具に関する。更には、複数通りの握り方が可能な筆記具に関する。
【背景技術】
【０００２】
従来より、筆記具を握った際に人差し指をペン先方向に向ける案内部として作用すると共に、人差し指以外にも親指や中指に対する滑り止め機能を付与するために、ペン先近傍の外周面に複数の案内部（凹部）を円周状に形成してなる筆記具が開示されている（例えば特許文献１参照）。
前記筆記具は、鉛筆握りのほか、筆記時に後端を掌で覆って凹部を握ることが可能であるため、垂直に配置される筆記板に長時間筆記する際の手首の疲労を軽減できるものである。しかしながら、ペン先近傍を握った際には滑りにくい構造を有しているが、ユーザーの手が極端に大きい場合（例えば、成人男性）には、凹部を握った状態で後端を掌で覆うことができなかったり、ユーザーの手が小さかったり、指が短い場合（例えば、女性や子供等）には、後端を掌で覆った際に凹部に指が届かず、筆記し難いものとなっていた。
【特許文献１】特開２００４−２９９３０８号公報
【発明の開示】
【発明が解決しようとする課題】
【０００３】
本発明は、鉛筆握りができることは勿論、ユーザーの利き手の左右や手の大きさや指の長さに関わらず、筆記具の後端を掌で覆った状態で複数通りの握り方に対応可能であると共に、長時間筆記による手首の疲労が軽減できる、垂直配置された筆記板への筆記に適した構造の筆記具を提供するものである。
【課題を解決するための手段】
【０００４】
本発明は、軸筒先端にペン先を備えた筆記具であって、前記軸筒が、掌に当接することができる後端支持部と、該後端支持部からペン先方向へ異なる距離に複数形成される指先支持部とを外面に有し、前記軸筒が、対向する平面部と該平面部を繋ぐ連接部とからなることを要件とする。
更に、前記指先支持部が、ペン先近傍に設けられる第一指先支持部と、該第一指先支持部の後方に設けられる第二指先支持部とから少なくともなること、前記指先支持部が、円周方向に形成される１以上の接触部からなること、前記第一指先支持部が３個の接触部からなり、１個の接触部が一方の連接部に設けられると共に、２個の接触部が他方の連接部と平面部との継目にそれぞれ設けられること、前記第二指先支持部が４個の接触部からなり、連接部と平面部との継目にそれぞれ設けられること、前記第二指先支持部が、後端支持部から軸筒全長の略１／２の位置に形成されること、前記第二指先支持部の後方に第三指先支持部が形成され、該第三指先支持部が、連接部と平面部との継目にそれぞれ設けられる４個の接触部からなること、前記接触部が窪み部であることを要件とする。
尚、本発明において「前」とは、ペン先側を示し、「後」とは、軸筒側を示す。
【発明の効果】
【０００５】
本発明の請求項１により、ユーザーの手の大小や指の長短に関わらず、それぞれのユーザーが好みの握り方を選択でき、筆記具後端を掌で覆った状態で確実に把持できるものとなる。また、手の中に収まり易い形状を構成できると共に、筆記具を机上等の平面に置いた際に転がることを防止できる。
【０００６】
請求項２により、ユーザーの手の大小や指の長短に対応した構造となり、筆記具後端を掌で覆った状態で握っても、確実に把持できるものとなる。
【０００７】
請求項３により、筆記具を握った際に指を置く位置が容易に分かる。
【０００９】
請求項４により、鉛筆握りは勿論、筆記具後端を掌で覆った状態で握った際においても上下方向を反転することにより、利き手を限定することなく、複数通りの握り方が指をフィットさせた状態で容易にできるものとなる。
【００１０】
請求項５により、手の小さいユーザーであっても利き手を限定することなく確実に把持できると共に、第一指先支持部に指を掛けて握った際には、薬指や親指がフィットするため、より多彩な握り方に対応した形状となる。
【００１１】
請求項６により、手の小さいユーザーであっても、筆記具後端を掌で覆った状態で確実に把持できると共に、筆記時の重量バランスを損なうことなく筆記できる。
【００１２】
請求項７により、第一指先支持部や第二指先支持部に少なくとも人差し指を掛けて握った際に、薬指がフィットするため、より握り易い形状となる。
【００１３】
請求項８により、把持した際に指を適所にガイドでき、指や掌が確実にフィットするような筆記具を安価に製造できる。
【発明を実施するための最良の形態】
【００１４】
本発明の筆記具は、軸筒の外周面に複数の指先支持部を形成した筆記具であり、ユーザーの利き手（利き腕）や手の大きさや指の長さを問わず、あらゆる握り方に対応できるものであり、特に、筆記具後端を掌で覆った状態で握る際の握り方（所謂、被せ握り）について複数対応するものである。
【００１５】
前記軸筒は、先端にペン先を備え、後端に掌を当接することができる後端支持部を備えると共に、外面に後端支持部からペン先方向へ異なる距離に複数形成される指先支持部を備える中空状物である。
【００１６】
前記指先支持部は、ペン先近傍位から後方（後端支持部方向）に向かって第一指先支持部、第二指先支持部、第三指先支持部と順を追って複数形成されるものであり、いずれも握った際に正しい指先位置が判るようにした凹部、凸部、凹凸集合部（溝と突起の集合）、面取部、印刷像等や、把持した際に滑り止めとして作用する軟質樹脂部、凹部、凸部、凹凸集合部等により形成される。
【００１７】
特に、前記指先支持部として、円周方向に形成される１以上の接触部（即ち、前記各指先支持部のなかで、指先を配置するために形成された特定の部分）を設けることが好ましい。これにより、様々な握り方に適した位置に指先を誘導することができるため、筆記し易いものとなる。
前記接触部としては、先に指先支持部で示したものを部分的に用いることができるが、好ましくは凹部、なかでも指先接触時にエッジによる違和感を与えることなく各指とフィットすると共に、把持状態での滑り止め効果を発現できることから窪み部が好適である。また、前記窪み部は、軸筒成型時に形成できるため、安価に構成できる点からも好ましい。
【００１８】
また、前記軸筒としては、対向する平面部を形成すると共に、該平面部を繋ぐ連接部を用いることにより、中空状物を構成することが好ましい。前記平面部を設けることで、筆記時に手の中に収まり易い形状となり、更に筆記具を机上等の平面に置いた際に転がることを防止できる。
また、前記平面は視認性、安定性に優れているため、装飾や説明書きを示したシールの貼付や、筆記板貼着用マグネットの配設等に適している。
【００１９】
前記軸筒の後端部分に形成される後端支持部は、掌が接触した際の違和感を排除し、フィット感を付与するために凸曲面とすることが好ましい。尚、前記後端支持部は軸筒の後端に直接形成する他、別部材により形成することができる。その際、軸方向後方に延出させることも可能である。
【００２０】
本発明の筆記具は、前記軸筒を用いたものであれば、構造や形状を特に限定することなく汎用のボールペンやマーキングペンの形態（キャップ式やサイドノック型等のペン先出没式）で使用できる。
例えば、マーキングペンとしては、繊維ペン体、フェルトペン体、プラスチックペン体、万年筆型金属ペン体等をペン先として軸筒前方の筆記先端部に装着し、軸筒内部に収容した繊維束からなるインキ吸蔵体にインキを含浸させ、筆記先端部にインキを供給する構造、軸筒内部に直接インキを収容し、櫛溝状のインキ流量調節部材や繊維束からなるインキ流量調節部材を介在させる構造、軸筒内部に直接インキを収容して、弁機構により前記筆記先端部に所定量のインキを供給する構造のマーキングペン（サインペン、フェルトペン、筆ペン等）が挙げられる。
また、ボールペンとしては、例えば、軸筒内部に収容した繊維束からなるインキ吸蔵体にインキを含浸させ、筆記先端部にインキを供給する構造、軸筒内部に直接インキを収容し、櫛溝状のインキ流量調節部材や繊維束からなるインキ流量調節部材を介在させる構造、軸筒内にインキ組成物を充填したインキ収容管を有し、該インキ収容管はボールを先端部に装着したチップに連通しており、更にインキの端面には逆流防止用に液栓や固体栓等のインキ追従体が密接している構造のボールペンを例示できる。
【実施例】
【００２１】
本発明の実施例を以下の図面に従って説明する。
図１は本発明の筆記具のキャップ非装着時の外観斜視図であり、図２は側面図であり、図３はペン先側から見た図である。
【００２２】
筆記具１は、軸筒２先端に繊維収束体からなるマーキングペン形態のペン先４を備え、軸筒内にインキを充填してなるインキ吸蔵体を直接収容し、該インキ吸蔵体の前端をペン先後端と接続する位置に配置したキャップ式筆記具である。
【００２３】
前記筆記具１の軸筒２は前軸２１と後軸２５との二部材から構成され、ポリプロピレン樹脂、ポリカーボネート樹脂、ポリスチレン樹脂、ポリエチレンテレフタレート樹脂、ＡＢＳ樹脂等の合成樹脂からなる中空状成形物（具体的にはポリプロピレン樹脂で構成される成形物）であり、内部に円柱状インキ吸蔵体が収容できるような筒形に成形される。前記軸筒２は筆記時の重量バランスを良好に保つために、全長が６０ｍｍ〜１２０ｍｍの範囲（本実施例においては全長１００ｍｍ）に設定される。
また、前記前軸２１と螺着される後軸２５は、外面に複数の凸部２７が形成されると共に、後端支持部２６となる後端部分は、掌を当接した際にフィットするように凸曲面状になっている。
【００２４】
前記前軸２１は、ペン先４を保持する貫通孔を前方に有し、対向する平面部２２を備えた側面と、該側面（平面部２２）を繋ぐ凸曲面状の連接部２３とから構成されており、周方向の長さにおいて、側面（平面部２２）＞連接部２３となる略直方体形状（扁平状）を有する。
【００２５】
前記軸筒２（前軸２１）外周面には、後端支持部２６からペン先４方向へ異なる距離に３箇所形成される指先支持部３が設けられており、該３箇所の指先支持部３の外径は貫通孔近傍の外径や後軸２５の外径よりも大径に設定されている。
前記３箇所の指先支持部３は、ペン先側から順に、第一指先支持部３１、第二指先支持部３２、第三指先支持部３３であり、いずれも円周方向に複数の窪み状接触部（窪み部３４）を形成することで構成されている。また、前記軸筒２（筆記具１）は、ペン先４側から見て左右対称な形状となっている。
【００２６】
前記ペン先近傍に形成される第一指先支持部３１は３個の窪み部３４からなり、該窪み部３４の１個が下方の連接部２３中央に設けられる（下方接触部３１２）と共に、２個が上方の連接部２３と各側面（平面部２２）との継目にそれぞれ設けられ（上方接触部３１１）ており、各窪み部３４の周方向の幅は上方接触部３１１＜下方接触部３１２となっている（図３参照）。
【００２７】
前記第二指先支持部３２は４個の窪み部３４からなり、連接部２３と平面部２２との継目にそれぞれ同形状のものが設けられる。
また、前記第二指先支持部３２は、後端支持部２６から軸筒全長の略１／２の位置（即ち、全長１００ｍｍの軸筒２において５０ｍｍの点に、第二指先支持部３２を構成する窪み部３４の中心が位置する）に形成される。これにより、ユーザーの指が短い場合や手が小さい場合に、人差し指を該第二指先支持部３２に配置しても、バランスを損なうことなく筆記具１を把持でき、筆記時にも違和感なく筆記できる。
【００２８】
前記指先支持部３の後端近傍に形成される第三指先支持部３３は４個の窪み部３４からなり、連接部２３と側面（平面部２２）との継目にそれぞれ同形状のものが設けられる。特に、前記窪み部３４は、薬指が当接した際にフィットするような形状を有している。
【００２９】
前記筆記具１の把持方法（握り方）としては、左右の利き手に関わらず鉛筆握りと被せ握り（後端支持部２６を掌に当接させた状態での把持方法）が可能であり、例えば、鉛筆握り時には、第一指先支持部３１の上方接触部３１１の１箇所に人差し指を配置し、親指を平面部２２に配置することと、それぞれの上方接触部３１１に人差し指と中指を配置し、下方接触部３１２に親指を配置することで可能となる。
被せ握り時には、第一指先支持部３１の上方接触部３１１に人差し指と中指を配置し、第二指先支持部３２の下側窪み部３４に親指と薬指を配置することや、第一指先支持部３１の上方接触部３１１の１箇所又は下方接触部３１２に人差し指を配置し、平面部２２に親指と中指を配置し、第二指先支持部３２の下側窪み部３４又は第三指先支持部３２の下側窪み部３４に薬指を配置することや、第一指先支持部３１の上方接触部３１１に人差し指と薬指を配置し、中指を前記上方接触部３１１間の接続部２３に配置し、第二指先支持部３２の下側窪み部３４に親指と小指を配置することで可能となる。
また、ユーザーの指が短い場合や手が小さい場合には、第二指先支持部３２の窪み部３４に人差し指と親指と中指を配置し、第三指先支持部３２の下側窪み部３４に薬指を配置することや、第二指先支持部３２の上方窪み部３４に人差し指と薬指を配置し、中指を前記窪み部３４間の接続部２３に配置し、下側接続部２３に親指を配置することで可能となる。
前記握り方は、いずれも高い安定感で把持できると共に、筆記時の疲労を軽減できるものであった。
【図面の簡単な説明】
【００３０】
【図１】本発明の筆記具の一実施例を示す外観斜視図である。
【図２】図１の側面図である。
【図３】図１の前方視認図である。
【符号の説明】
【００３１】
１  筆記具
２  軸筒
２１  前軸
２２  平面部
２３  連接部
２４  ペン先保持部
２５  後軸
２６  後端支持部
２７  凸部
３  指先支持部
３１  第一指先支持部
３１１  上方接触部
３１２  下方接触部
３２  第二指先支持部
３３  第三指先支持部
３４  窪み部
４  ペン先
【図１】
0004848066.tif 000002
【図２】
0004848066.tif 000003
【図３】
0004848066.tif 000004